(57)【要約】【課題】運転者のシフトモード状態選択操作の改善意欲や省燃費運転の知識と意識を向上させる。【解決手段】シフトモード状態判定部１１ｂ１は、車両１ａのシフトモード状態が所定条件を充足しているか否かを判定する。走行距離積算部１１ｃは、シフトモード状態が所定条件を充足していると判定された場合、最適シフトモード状態選択走行距離を積算する。走行距離積算部１１ｃは、シフトモード状態が所定条件を充足していると判定されなかった場合、不適シフトモード状態選択走行距離を積算する。省燃費運転採点部１２は、走行距離積算部１１ｃによって積算された各積算値に基づいて運転者の運転を採点する。省燃費運転アドバイス生成部１３は、採点結果に応じて、採点結果とともに省燃費運転アドバイスを運転者へ通知する。よって、運転者に燃費のよい最適シフトモード状態選択を奨励し、運転者の省燃費運転の知識と意識の向上を図ることができる。【選択図】        図１
2010038959.tif 000002
【特許請求の範囲】
【請求項１】
車両が省燃費運転していると判断される際のシフトモード選択状態の条件であるシフトモード選択条件を管理する条件管理部と、
前記車両におけるシフトモードの選択状態が、前記条件管理部により管理される前記シフトモード選択条件を充足するか否かを判定するシフトモード選択条件判定部と、
前記車両の走行状況が所定の走行状況であるか否かを判定する走行状況判定部と、
前記走行状況判定部による判定結果に応じて前記シフトモード選択条件判定部による判定を行うか否かを判断し、省燃費運転を診断する省燃費運転診断部と
を有することを特徴とする省燃費運転診断装置。
【請求項２】
道路状況又は交通状況を取得する道路交通状況取得装置によって取得された前記道路状況又は前記交通状況に応じて前記シフトモード選択条件を変更することを特徴とする請求項１記載の省燃費運転診断装置。
【請求項３】
道路状況又は交通状況を取得する道路交通状況取得装置によって取得された前記道路状況又は前記交通状況に応じて前記シフトモード選択条件判定部による判定をキャンセルすることを特徴とする請求項１又は２記載の省燃費運転診断装置。
【請求項４】
前記シフトモード選択条件判定部による判定の対象とされた前記車両の走行距離である判定対象走行距離と、該判定対象走行距離のうち前記シフトモード選択条件判定部によって前記車両におけるシフトモードの状態が前記シフトモード選択条件を充足すると判定された走行距離とに基づいて省燃費運転を採点する省燃費運転採点部を有することを特徴とする請求項１、２又は３記載の省燃費運転診断装置。
【請求項５】
前記省燃費運転採点部による採点結果に基づいて省燃費運転アドバイスを生成するアドバイス生成部を有することを特徴とする請求項４記載の省燃費運転診断装置。
【請求項６】
前記省燃費運転採点部による採点結果又は前記アドバイス生成部によって生成された省燃費運転アドバイスを運転者に通知する通知部を有することを特徴とする請求項４又は５記載の省燃費運転診断装置。
【請求項７】
車両の省燃費運転を診断する省燃費運転診断システムであって、
車両が省燃費運転していると判断される際のシフトモード選択状態の条件であるシフトモード選択条件を管理する条件管理部と、前記車両におけるシフトモードの選択状態が、前記条件管理部により管理される前記シフトモード選択条件を充足するか否かを判定するシフトモード選択条件判定部と、前記車両の走行状況が所定の走行状況であるか否かを判定する走行状況判定部と、前記走行状況判定部による判定結果に応じて前記シフトモード選択条件判定部による判定を行うか否かを判断し、省燃費運転を診断する省燃費運転診断部と、
前記シフトモード選択条件判定部による判定の対象とされた前記車両の走行距離である判定対象走行距離と、該判定対象走行距離のうち前記シフトモード選択条件判定部によって前記車両におけるシフトモードの状態が前記シフトモード選択条件を充足すると判定された走行距離とに基づいて省燃費運転を採点する省燃費運転採点部と
を含むことを特徴とする省燃費運転診断システム。
【請求項８】
道路状況又は交通状況を取得する道路交通状況取得装置によって取得された前記道路状況又は前記交通状況に応じて前記シフトモード選択条件を変更することを特徴とする請求項７記載の省燃費運転診断システム。
【請求項９】
道路状況又は交通状況を取得する道路交通状況取得装置によって取得された前記道路状況又は前記交通状況に応じて前記シフトモード選択条件判定部による判定をキャンセルすることを特徴とする請求項７又は８記載の省燃費運転診断システム。
【請求項１０】
車両の走行制御を行うとともに前記車両の省燃費運転を診断する省燃費運転診断を行う前記車両の走行制御装置であって、
車両が省燃費運転していると判断される際のシフトモード選択状態の条件であるシフトモード選択条件を管理する条件管理部と、
前記車両におけるシフトモードの選択状態が、前記条件管理部により管理される前記シフトモード選択条件を充足するか否かを判定するシフトモード選択条件判定部と、
前記車両の走行状況が所定の走行状況であるか否かを判定する走行状況判定部と、
前記走行状況判定部による判定結果に応じて前記シフトモード選択条件判定部による判定を行うか否かを判断し、省燃費運転を診断する省燃費運転診断部と
を有することを特徴とする車両の走行制御装置。
【請求項１１】
車両の省燃費運転を採点する省燃費運転採点装置であって、
省燃費運転とされる前記車両のシフトモード選択状態の条件であるシフトモード選択条件に基づいて前記車両の省燃費運転を診断する省燃費運転診断装置から省燃費運転診断結果を取得する省燃費運転診断結果取得部と、
前記省燃費運転診断結果取得部によって取得された前記車両の省燃費運転診断結果に応じて、前記省燃費運転診断装置による前記車両におけるシフトモードの選択状態が前記シフトモード選択条件を充足するか否かの判定の対象とされた前記車両の走行距離である判定対象走行距離と、該判定対象走行距離のうち前記省燃費運転診断装置によって前記車両のシフトモードの選択状態が前記シフトモード選択条件を充足すると判定された走行距離とに基づいて省燃費運転を採点する省燃費運転採点部と
を有することを特徴とする省燃費運転採点装置。
【請求項１２】
車両の省燃費運転の診断を省燃費運転診断システムが行う省燃費運転診断方法であって、
前記車両におけるシフトモードの選択状態が、前記車両が省燃費運転していると判断される際のシフトモード選択状態の条件であるシフトモード選択条件を充足するか否かを判定するシフトモード選択条件判定ステップと、
前記車両の走行状況が所定の走行状況であるか否かを判定する走行状況判定ステップと、
前記走行状況判定ステップによる判定結果に応じて前記シフトモード選択条件判定ステップによる判定を行うか否かを判断し、省燃費運転を診断する省燃費運転診断ステップと
前記シフトモード選択条件判定ステップによる判定の対象とされた前記車両の走行距離である判定対象走行距離と、該判定対象走行距離のうち前記シフトモード選択条件判定ステップによって前記車両におけるシフトモードの状態が前記シフトモード選択条件を充足すると判定された走行距離とに基づいて省燃費運転を採点する省燃費運転採点ステップと  を含むことを特徴とする省燃費運転診断方法。
【発明の詳細な説明】
【技術分野】
【０００１】
本発明は、車両における運転者の運転のシフトモード状態選択に関して省燃費運転を診断して採点し、採点結果を運転者に対して通知することによって省燃費運転の意識を向上させる省燃費運転診断装置、省燃費運転診断システム及び省燃費運転診断方法に関する。
【背景技術】
【０００２】
近年、地球環境問題がクローズアップされる中、自動車の省燃費性が改めて重要視されるようになってきている。地球環境問題では、特に、地球温暖化対策が急務となっている。このため、二酸化炭素等の温暖化ガスを排出するエンジン車等は、省燃費性能を高めるための改良が重ねられ、燃費効率を向上させて排出温暖化ガスを削減している。
【０００３】
しかし、いくら自動車の省燃費性能が高くても、運転者の運転が省燃費に反するもの、例えばシフトモード状態の選択が不適切な運転である場合、道路状況に合っていない走行モードで自動車の走行が制御されるので無駄な燃料消費が発生し、自動車の高省燃費性能も意味をなさないものとなってしまう。そこで、運転者の運転におけるシフトレバー選択が少しでも省燃費に寄与する様にするため、不適切なシフトレバー位置を選択して走行した場合、その旨を運転者対し報知する従来技術が考案されてきた。
【０００４】
例えば、ある従来技術では、行動軌跡データを受信し、燃料消費マップと照らし合わせて省燃費運転の度合いの計算と、ドライバへ通知するメッセージとから成る省燃費運転診断コンテンツの作成を行う。また、そのコンテンツをデータベースに蓄積する。そして、その省燃費運転診断コンテンツの内容は、通信事業者を介してドライバのカーナビゲーション装置へ伝送される。そして、カーナビゲーション装置では、省燃費運転診断により得られる診断項目毎のコンテンツを予め用意された閾値と比較し、その結果によっては画面に省燃費警告の表示を行う。
【０００５】
また、他の従来技術では、車速履歴データやカーナビゲーションから提供される道路交通情報などの燃費関連情報に基づいて、現在選択されている走行モード（シフトモード）による燃費が悪化しているかどうかを判定していた。燃費が悪化している場合には現在設定されている走行モードから燃費優先側の走行モード（エコノミーモード）へ変更すべきことをユーザにアドバイスすることによって、運転者にエコノミーモードの選択を促すことができる。
【特許文献１】特開２００３−２２０８５１号公報
【特許文献２】特開２００７−０５５４３６号公報
【発明の開示】
【発明が解決しようとする課題】
【０００６】
しかしながら、上記従来技術では、次の様な問題点があった。すなわち、単に、シフトモードをエコノミーモードに変更することを促す通知を行うのみであっては、エコノミーモードを選択して省燃費運転をどれだけ走行したかの客観的な評価基準がなかった。
【０００７】
このため、燃費向上のためには、運転者のシフトモード状態選択操作の改善や省燃費運転の意識向上が必要であるにもかかわらず、従来技術では、客観的かつ公平な基準に基づいた運転者のシフトモード状態選択操作の評価が行えなかったため、運転者のシフトモード状態選択操作の改善意欲や省燃費運転に対する知識と意識の向上を十分に図ることができなかった。
【０００８】
以下に開示する省燃費運転診断装置、省燃費運転診断システム及び省燃費運転診断方法は、上記問題点（課題）を解消するためになされたものであって、公平な基準に基づいた運転者のシフトモード状態選択操作評価を行い、運転者のシフトモード状態選択操作の改善意欲や省燃費運転に対する知識と意識の向上を図ることを目的とする。
【課題を解決するための手段】
【０００９】
上述した問題を解決し、目的を達成するため、開示の省燃費運転診断装置、省燃費運転診断システム及び省燃費運転診断方法は、車両におけるシフトモードの選択状態が、車両が省燃費運転していると判断される際のシフトモード選択状態の条件であるシフトモード選択条件を充足するか否かを判定し、車両の走行状況が所定の走行状況であるか否かを判定し、該判定結果に応じて車両におけるシフトモードの選択状態がシフトモード選択条件を充足するか否かの判定を行うか否かを判断し、省燃費運転を診断し、車両の走行状況が所定の走行状況であるか否かを判定する対象とされた車両の走行距離である判定対象走行距離と、該判定対象走行距離のうちシフトモードの状態がシフトモード選択条件を充足すると判定された走行距離とに基づいて省燃費運転を採点し、採点結果に基づいて省燃費運転アドバイスを生成し、採点結果及び省燃費運転アドバイスを運転者に通知することを一要件とする。
【発明の効果】
【００１０】
開示の省燃費運転診断装置、省燃費運転診断システム及び省燃費運転診断方法によれば、燃費に関する情報の絶対的、客観的かつ公平な良否判断を行うことを可能とし、運転者の自動車のシフトモード状態選択に関する運転操作改善意欲、省燃費運転に対する知識との意識の向上を図ることができるという効果を奏する。
【発明を実施するための最良の形態】
【００１１】
以下に添付図面を参照し、省燃費運転診断装置、省燃費運転診断システム及び省燃費運転診断方法に係る実施形態の一例を詳細に説明する。以下の実施形態の一例で開示する車両は、ガソリンエンジン等の化石燃料を燃料（エネルギー）として駆動する車両を例として説明する。
【００１２】
しかし、ガソリンエンジン等の化石燃料を燃料（エネルギー）として駆動する車両に限定されず、ガソリンエンジン（若しくは、化石燃料をエネルギーとするその他のエンジン）及び駆動モータ（以下、モータと略記）を双方備え、運転状況に応じて駆動源を切り替えて走行するハイブリッドカーであってもよい。或いは、電気自動車や燃料電池車等、モータを駆動力として走行する車両も含め、エネルギーを使用して駆動する車両であれば、広く一般に適用可能である。
【００１３】
［実施形態の一例］
図１〜図１２を参照して、省燃費運転診断装置、省燃費運転診断システム及び省燃費運転診断方法に係る実施形態の一例を説明する。図１は、実施形態の一例に係る車両１ａの省燃費運転診断装置及び関連する装置の構成を示すブロック図である。
【００１４】
図１に示すように、省燃費運転診断装置１０ａは、省燃費運転診断部１１と、省燃費運転採点部１２と、省燃費運転アドバイス生成部１３と、車載ネットワークインターフェース部１４と、出力インターフェース部１５とを有する。また、省燃費運転診断装置１０ａは、車載ネットワークインターフェース部１４及び車載ネットワーク１００を介して走行制御装置２０ａと接続されている。また、省燃費運転診断装置１０ａは、出力インターフェース部１５を介してエコランプ１６ａと、表示画面を有する表示部１６ｂとが接続されている。なお、エコランプ１６ａは、従来から存在し、種々の点灯条件を充足するエコ（エコロジーの省略形、以下同様）的運転が行なわれている時に点灯するランプである。
【００１５】
走行制御装置２０ａは、車両１ａの走行制御をつかさどるコンピュータである。走行制御装置２０ａは、車両を駆動するガソリンエンジンを制御するエンジン制御装置２４と、ブレーキ制御装置２５とが接続されている。ブレーキ制御装置２５は、運転者のブレーキ操作に応じてメカニカルブレーキ（ディスクブレーキ又はドラムブレーキ）を制御する。
【００１６】
また、走行制御装置２０ａには、現在の車両の車速を検知する車速センサ２６と、現在の運転者のアクセル操作量を検知するアクセル操作量センサ２７と、現在の車両のシフトレバー位置及びシフトモード状態を検知するシフトセンサ２８と、車速パルス信号積算値格納部２９とが接続されている。
【００１７】
なお、車速パルス信号積算値格納部２９は、車両１ａの車輪の内径に備えられたパルスセンサが車輪の１回転毎に車速パルス信号を検知したとして１ずつ積算した車速パルス信号積算を格納する。すなわち、車速パルス信号積算値は、車輪の回転回数を積算した値である。所定時間（例えば１００ミリ秒）毎の車速パルス信号積算値の差分を算出して車輪の外周長を乗じることによって、該所定時間の車両１ａの走行距離を算出することができる。
【００１８】
省燃費運転診断部１１は、診断条件管理部１１ａと、エコランプ点灯判定部１１ｂと、走行距離積算部１１ｃとを有する。診断条件管理部１１ａは、運転がエコランプ１６ａを点灯させるエコ的運転であると判定される条件、すなわち、エコランプ点灯条件を管理する。具体的には、図２に示すエコランプ点灯判定条件テーブルが格納されており、省燃費運転と判断される際のシフトモード状態の条件等が管理されている。
【００１９】
また、省燃費運転診断部１１は、道路情報受信装置１８ａによって受信された道路状況並びに交通状況、制限速度情報受信装置１８ｂによって受信された制限速度情報、路面状況監視装置１８ｃによって取得された路面状況、走行制御装置２０ａで取得された各種車両制御情報等から、車両１ａが所定の走行状況にあるか否かを判定する走行状況判定部１１ａ１を有する。
【００２０】
図２に示すエコランプ点灯判定条件テーブルは、エコランプ１６ａを点灯させる判定項目として、例えば車速［ｋｍ／ｈ］、アクセル開度（運転者のアクセル操作角度）θ［ｄｅｇ］、シフトレバー位置及びシフトモード状態等がある。エコランプ点灯判定条件テーブルは、各判定項目の現在値、診断条件値（初期値）及び診断条件値（変更値）を格納している。
【００２１】
エコランプ点灯判定条件テーブルの車速の現在値ｖ、アクセル開度の現在値θ、及び、シフトレバー位置及びシフトモード状態は、例えば１００ミリ秒毎に走行制御装置２０ａを介して車速センサ２６、アクセル操作量センサ２７、及び、シフトセンサ２８から取得される値である。
【００２２】
なお、シフトレバー位置には、“Ｐ”（Parking、駐車）、“Ｒ”（Reverse、後退）、“Ｄ”（Drive、通常走行）、“Ｎ”（Neutral、中立）、“Ｂ”（Break、モータによる回生ブレーキ）、“２”（Second、２速ギア位置）、“１”（First、１速ギア位置）等がある。通常は、シフトレバー位置として“Ｄ”を選択して走行することが省燃費運転につながる。
【００２３】
また、シフトモード状態は、シフトレバー選択を補完して車両１ａの走行をアレンジする機能であり、シフトレバーに付随するスイッチで機能のオンオフを行いうる。シフトモード状態には、“ノーマルモード”（通常状態）、“エコモード”（省燃費運転を行う状態）、“スポーツモード”（スポーティな走行を行う状態）、“スノーモード”（雪道での安全走行を確保する状態）等がある。通常は、シフトモード状態として“ノーマルモード”又は“エコモード”を選択して走行することが省燃費運転につながる。
【００２４】
また、エコランプ点灯判定条件テーブルの診断条件値（初期値）は、予め設定されている値である。また、診断条件値（変更値）は、カーナビゲーション装置１７の地図情報ＤＢ１７ａからの地図情報、道路情報受信装置１８ａによって受信された道路状況並びに交通状況、制限速度情報受信装置１８ｂによって受信された制限速度情報、及び、路面状況監視装置１８ｃによって取得された路面状況に基づいて、診断条件管理部１１ａによって診断条件値（初期値）から変更された値である。なお、診断条件値（変更値）は、診断条件値（初期値）を緩和又は厳格化する値となる。
【００２５】
このように、診断条件管理部１１ａが、地図情報、道路状況並びに交通状況及び路面状況に応じて診断条件値を緩和又は厳格化する理由は、次の様なものである。エコランプ１６ａの点灯は、運転者の省燃費運転を示す情報である。そして、エコランプ１６ａの点灯状況に基づいて、運転者の運転がエコ的であるか否かを判定する場合に、車両１ａが走行する道路環境や交通状況を加味せずに判定すると、公平な判定とならない。
【００２６】
例えば車両１ａが登坂する場合には、加速のために、平地走行よりもより大きいトルクが必要となる。あるいは、道路の合流地点では、本車線の通行車両に追随するために、シフトダウンして大きく加速する必要がある。
【００２７】
このように、車両１ａが走行する走行地点の状況を加味して運転を判定しなければ、判定結果に基づいて運転をスコアリング（採点）する場合に、有利不利が生じて不公平となる。この不公平を解消するために、診断条件管理部１１ａが、地図情報、及び、道路状況並びに交通状況に応じて診断条件値を緩和又は厳格化することによって、診断の公平性、採点の公平性を図り、ユーザである運転者の納得を得る。
【００２８】
なお、地図情報、及び、道路状況並びに交通状況に応じた診断条件値の緩和又は厳格化は、数値で示される下限値及び上限値を例えば２０〜３０％程度シフトさせることであり、シフトレバー位置及びシフトモード状態は、条件を追加又は削除することである。
【００２９】
また、道路情報受信装置１８ａは、ＶＩＣＳ（登録商標）受信装置、若しくはＤＳＲＣ（Dedicated  Short  Range  Communications、路車間通信)装置である。また、制限速度情報取得装置１８ｂは、路面又は道路標識の制限速度表示を認識する装置、無線周波によって現在地点の制限速度情報を受信する装置、若しくは、地図情報に基づいて現在地点の制限速度情報を取得する装置のいずれであってもよい。また、路面状況監視装置１８ｃは、路面の状況（例えば積雪、凍結等）を検知する装置である。
【００３０】
エコランプ点灯判定部１１ｂは、シフトモード状態判定部１１ｂ１を有する。特に、シフトモード状態判定部１１ｂ１は、走行制御装置２０ａを介して取得した車両１ａの現在のシフトレバー位置が図２に示す診断条件値（変更値）を充足するか否かを判定する。この判定は、省燃費運転診断である。
【００３１】
また、エコランプ点灯判定部１１ｂは、走行制御装置２０ａを介して取得した車両１ａの現在の車速、現在のアクセル開度、シフトモード状態（これらの項目及び車両１ａの現在のシフトレバー位置をエコランプ点灯判定項目と呼ぶ）が、図２に示す診断条件値（変更値）それぞれを充足するか否かを判定する。この判定は、省燃費運転診断である。全てのエコランプ点灯判定項目が診断条件値（変更値）を充足する場合に、エコランプ点灯判定部１１ｂは、エコランプ１６ａを点灯させる。
【００３２】
なお、エコランプ点灯判定部１１ｂ及びシフトモード状態判定部１１ｂ１は、道路状況並びに交通状況が通常状態であれば、エコランプ点灯判定項目それぞれが、図２に示す各診断条件値（初期値）の下限値及び上限値の範囲内にあるか否かを判定する。
【００３３】
走行距離積算部１１ｃは、走行制御装置２０ａを介して車速パルス信号積算値格納部２９から１００ミリ秒毎に取得される１００ｍｓｅｃ走行距離を、ワントリップ走行距離、最適シフトモード状態選択走行距離、不適シフトモード状態選択走行距離にそれぞれ加算する。
【００３４】
ワントリップ走行距離は、イグニションのオンからオフまでの間に車両１ａが走行した距離である。最適シフトモード状態選択走行距離は、ワントリップ走行距離のうち、エコランプ１６ａが点灯かつシフトレバー位置の診断結果が診断条件を充足して走行した距離である。不適シフトモード状態選択走行距離は、ワントリップ走行距離のうちシフトレバー位置の診断結果が診断条件を充足せずして走行した距離である。
【００３５】
なお、ワントリップ走行距離に代えて、ある一定期間の走行距離を採用してもよく、例えば、スタートからストップまでの１走行における走行距離を採用することとしてもよい。このようにすると、よりきめ細かく運転を診断することが可能になる。
【００３６】
省燃費運転診断装置１０ａの省燃費運転採点部１２は、走行距離積算部１１ｃによって積算された各積算値に基づいて運転者の運転を採点する。例えば、次式によって、最適シフトモード状態選択走行スコアが算出される。
【００３７】
【数１】
2010038959.tif 000003
【００３８】
また、次式によれば、不適シフトモード状態選択走行スコアが算出される。
【００３９】
【数２】
2010038959.tif 000004
【００４０】
最適シフトモード状態選択走行スコアは、運転者が省燃費運転を行ったことを評価する“良い”スコアである。一方、不適シフトモード状態選択走行スコアは、運転者が省燃費運転を怠ったことを量る“悪い”スコアである。
【００４１】
そして、省燃費運転採点部１２は、図９に例示するように、最適シフトモード状態選択走行スコア及び不適シフトモード状態選択走行スコアを表示部１６ｂに表示させる。なお、“良い”スコアを加点材料とし、“悪い”スコアを減点材料して総合得点を算出する様にしてもよい。
【００４２】
以上のように、各走行距離に基づいて各スコアを算出して運転者の省燃費運転度を採点することによって、公平かつ明瞭で納得性の高い採点結果を運転者に提示することができる。
【００４３】
省燃費運転診断装置１０ａの省燃費運転アドバイス生成部１３は、最適シフトモード状態選択走行スコアに応じて、図３に例示する省燃費運転アドバイスを表示部１６ｂに表示させる。また、省燃費運転アドバイス生成部１３は、不適シフトモード状態選択走行スコアに応じて、図４に例示する省燃費運転アドバイスを表示部１６ｂに表示させる。なお、図１０及び図１１は、表示部１６ｂに省燃費運転アドバイスを表示させた表示態様の一例を示す図である。
【００４４】
若しくは、省燃費運転アドバイス生成部１３は、最適シフトモード状態選択走行スコア及び不適シフトモード状態選択走行スコアに応じて、テンプレートメッセージから各スコアに即応したメッセージを生成することとしてもよい。
【００４５】
次に、省燃費運転診断装置１０ａの省燃費運転診断部１１で実行される省燃費運転診断処理について説明する。図５は、省燃費運転診断処理手順を示すフローチャートである。なお、本処理は、例えば１００ミリ秒毎に実行される処理である。同図に示すように、先ず、診断条件管理部１１ａは、走行制御装置２０ａから、車速、車速パルスセンサ積算値、アクセル開度、シフトレバー位置及びシフトモード状態を取得する（ステップＳ１０１）。
【００４６】
続いて、走行距離積算部１１ｃは、前回取得の車速パルスセンサ積算値と、今回取得の車速パルスセンサ積算値との差分から、１００ｍｓｅｃ走行距離を算出する（ステップＳ１０２）。続いて、走行距離積算部１１ｃは、ワントリップ走行距離に、ステップＳ１０２で算出された１００ｍｓｅｃ走行距離を加算する（ステップＳ１０３）。
【００４７】
続いて、診断条件管理部１１ａは、地図情報ＤＢ１７ａから地図情報を取得する（ステップＳ１０４）。続いて、診断条件管理部１１ａは、取得した地図情報に基づいて、車両の現在位置は診断条件を変更する必要がある地点であるか否かを判定する（ステップＳ１０５）。診断条件を変更する必要がある地点であると判定された場合に（ステップＳ１０５肯定）、ステップＳ１０６へ移り、診断条件を変更する必要がある地点であると判定されなかった場合に（ステップＳ１０５否定）、ステップＳ１０７へ移る。
【００４８】
ステップＳ１０６では、診断条件管理部１１ａは、取得した地図情報に基づいて、省燃費運転の診断条件を変更する。続いて、ステップＳ１０７では、エコランプ点灯判定部１１ｂは、エコランプ点灯判定処理を実行する。エコランプ点灯判定処理の詳細は、図７を参照して後述する。この処理が終了すると、省燃費運転診断処理は終了する。
【００４９】
次に、図５のステップＳ１０７で示したエコランプ点灯判定処理について説明する。図６は、エコランプ点灯判定処理手順を示すフローチャートである。同図に示すように、先ず、エコランプ点灯判定部１１ｂは、エコランプ点灯フラグをオンに初期化する（ステップＳ１２１）。
【００５０】
続いて、エコランプ点灯判定部１１ｂは、現在の車速は診断条件値の範囲内であるか否かを判定する（ステップＳ１２２）。現在の車速は診断条件値の範囲内であると判定された場合に（ステップＳ１２２肯定）、ステップＳ１２３へ移り、現在の車速は診断条件値の範囲内であると判定されなかった場合に（ステップＳ１２２否定）、ステップＳ１２６へ移る。
【００５１】
続いて、エコランプ点灯判定部１１ｂは、アクセル開度は診断条件値の範囲内か否かを判定する（ステップＳ１２３）。アクセル開度は診断条件値の範囲内であると判定された場合に（ステップＳ１２３肯定）、ステップＳ１２４へ移り、アクセル開度は診断条件値の範囲内であると判定されなかった場合に（ステップＳ１２３否定）、ステップＳ１２６へ移る。
【００５２】
続いて、エコランプ点灯判定部１１ｂは、シフトレバー位置は診断条件値を充足するか否かを判定する（ステップＳ１２４）。シフトレバー位置は診断条件値を充足すると判定された場合（ステップＳ１２４肯定）、ステップＳ１２５へ移り、シフトレバー位置は診断条件値を充足すると判定されなかった場合（ステップＳ１２４否定）、ステップＳ１２６へ移る。
【００５３】
続いて、エコランプ点灯判定部１１ｂのシフトモード状態判定部１１ｂ１は、シフトモード状態診断処理を実行する。なお、シフトモード状態処理の詳細は、図７を参照して後述する。
【００５４】
ステップＳ１２６では、エコランプ点灯判定部１１ｂは、エコランプ点灯フラグをオフにする。続いて、ステップＳ１２７では、エコランプ点灯判定部１１ｂは、エコランプ点灯フラグはオンか否かを判定する。エコランプ点灯フラグはオンであると判定された場合に（ステップＳ１２７肯定）、エコランプ点灯判定部１１ｂは、エコランプ１６ａを点灯する（ステップＳ１２８）。この処理が終了すると、エコランプ点灯判定処理は終了する。なお、エコランプ点灯フラグはオンであると判定されなかった場合にも（ステップＳ１２７否定）、エコランプ点灯判定処理は終了する。
【００５５】
次に、図６のステップＳ１２５で示したシフトモード状態診断処理について説明する。図７は、シフトモード状態診断処理手順を示すフローチャートである。同図に示すように、先ず、走行状況判定部１１ａ１は、車速センサ２６から取得された現在の車速は一定値以上であるか否かを判定する（ステップＳ１２５ａ）。
【００５６】
現在の車速は一定値以上であると判定された場合（ステップＳ１２５ａ肯定）、ステップＳ１２５ｂへ移り、現在の車速は一定値以上であると判定されなかった場合（ステップＳ１２５ａ否定）、ステップＳ１２５ｈへ移る。
【００５７】
続いて、走行状況判定部１１ａ１は、路面状況監視装置１８ｃから取得された路面状況から路面は積雪状態であるか否かを判定する（ステップＳ１２５ｂ）。路面は積雪状態であると判定された場合（ステップＳ１２５ｂ肯定）、ステップＳ１２５ｈへ移り、路面は積雪状態であると判定されなかった場合（ステップＳ１２５ｂ否定）、ステップＳ１２５ｃへ移る。
【００５８】
続いて、走行状況判定部１１ａ１は、地図情報ＤＢ１７ａから取得された地図情報に基づき、車両１ａの走行位置は一定傾斜角以上の勾配であるか否かを判定する（ステップＳ１２５ｃ）。車両１ａの走行位置は一定傾斜角以上の勾配であると判定された場合（ステップＳ１２５ｃ肯定）、ステップＳ１２５ｈへ移り、車両１ａの走行位置は一定傾斜角以上の勾配であると判定されなかった場合（ステップＳ１２５ｃ否定）、ステップＳ１２５ｄへ移る。
【００５９】
続いて、シフトモード状態判定部１１ｂ１は、車両１ａにおけるシフトモード選択状態がエコランプ点灯条件テーブルのシフトモード状態の診断条件を充足するか否かを判定する（ステップＳ１２５ｄ）。シフトモード選択状態がエコランプ点灯条件テーブルのシフトモード状態の診断条件を充足すると判定された場合（ステップＳ１２５ｄ肯定）、ステップＳ１２５ｅへ移り、シフトモード選択状態がエコランプ点灯条件テーブルのシフトモード状態の診断条件を充足すると判定されなかった場合（ステップＳ１２５ｄ否定）、ステップＳ１２５ｆへ移る。
【００６０】
ステップＳ１２５ｅでは、走行距離積算部１１ｃは、最適シフトモード状態選択走行距離に１００ｍｓｅｃ走行距離を加算する。この処理が終了すると、エコランプ点灯判定処理へ復帰する。
【００６１】
ステップＳ１２５ｆでは、シフトモード状態判定部１１ｂ１は、エコランプ点灯フラグをオフにする。続いて、走行距離積算部１１ｃは、不適シフトモード状態走行距離に１００ｍｓｅｃ走行距離を加算する（ステップＳ１２５ｇ）。この処理が終了すると、エコランプ点灯判定処理へ復帰する。
【００６２】
なお、ステップＳ１２５ｈでは、走行状況判定部１１ａ１は、ワントリップ走行距離から図５のステップＳ１０２で算出された１００ｍｓｅｃ走行距離を減算する。ステップＳ１２５ａ〜ステップＳ１２５ｃが最適シフトモード状態選択走行診断を行わない条件、すなわち診断シーンの限定条件である。例えば、車両１ａが渋滞にさしかかって低速走行及び停止を繰り返す状況では最適シフトモード状態選択走行診断を行っても有意な採点結果を導き出すことはできない。
【００６３】
すなわち、ステップＳ１２５ａ〜ステップＳ１２５ｃの判定のうち少なくとも一つが肯定又は否定の場合、最適シフトモード状態選択走行診断を行わないため、最適シフトモード状態選択走行距離が積算されることはない。最適シフトモード状態選択走行診断を行った上で最適シフトモード状態選択走行距離が積算されない場合と比較して、最適シフトモード状態選択走行診断をキャンセルしたことによって最適シフトモード状態選択走行距離が積算されないということは明らかに異なる。よって、最適シフトモード状態選択走行スコアの信頼性を維持するために、ワントリップ走行距離から１００ｍｓｅｃ走行距離を減算するのである。
【００６４】
次に、省燃費運転診断装置１０ａの省燃費運転採点部１２及び省燃費運転アドバイス生成部１３で実行されるシフトモード状態選択診断採点結果アドバイス通知処理について説明する。図８は、シフトモード状態選択診断採点結果アドバイス通知処理手順を示すフローチャートである。同図に示すように、先ず、省燃費運転採点部１２は、ワントリップ走行終了か否かを判定する（ステップＳ２０１）。ワントリップ走行終了と判定された場合に（ステップＳ２０１肯定）、ステップＳ２０２へ移り、ワントリップ走行終了と判定されなかった場合にステップＳ２０１を繰り返す。
【００６５】
ステップＳ２０２では、省燃費運転採点部１２は、最適シフトモード状態選択走行スコア及び不適シフトモード状態選択走行スコアを、上記（１）式及び（２）式に基づいて算出する。続いて、省燃費運転採点部１２は、ステップＳ２０２の処理によって算出された最適シフトモード状態選択走行スコア及び不適シフトモード状態選択走行スコアを表示部１６ｂに表示させる（ステップＳ２０３）。
【００６６】
続いて、省燃費運転アドバイス生成部１３は、最適シフトモード状態選択走行スコア及び不適シフトモード状態選択走行スコアにそれぞれ対応する省燃費運転の意識向上を促すアドバイスメッセージを車速範囲内走行スコア又は車速範囲外走行スコアとともに表示部１６ｂに表示させる（ステップＳ２０４）。この処理が終了すると、車速範囲内外走行診断採点結果アドバイス通知処理は終了する。
【００６７】
以上の様に、運転者に対して採点結果及び省燃費運転アドバイスを表示することによって、最適シフトモード状態を選択して運転する意識を喚起し、省燃費運転を心がけるように意識の向上を図ることができる。
【００６８】
なお、図１２に車両１ｂの省燃費運転診断装置１０ｂ及び走行制御装置２０ｂの構成を示すように、図１に示した車両１ａの省燃費運転診断装置１０ａが省燃費運転診断部１１を有する構成に代えて、走行制御装置２０ｂが省燃費運転診断部２２を有する構成であってもよい。この場合、省燃費運転診断装置及び走行制御装置の構成が変わるのみで、他は上記実施形態の一例と同様である。このような構成にすると、省燃費運転診断装置１０ｂの構成を簡略化し、処理負担を軽減することができる。
【００６９】
なお、省燃費運転診断部２２が有する診断条件管理部２２ａ、走行状況判定部２２ａ１、エコランプ点灯判定部２２ｂ、シフトモード状態判定部２２ｂ１、走行距離積算部２２ｃは、省燃費運転診断部１１が有する診断条件管理部１１ａ、走行状況判定部１１ａ１、エコランプ点灯判定部１１ｂ、シフトモード状態判定部１１ｂ１、走行距離積算部１１ｃとそれぞれ同一の機能構成である。
【００７０】
なお、車両１ｂにおいて、エコランプ点灯判定部２２ｂ及び／又は走行距離積算部２２ｃは、省燃費運転診断部２２ではなく省燃費運転診断装置１０ｂに含まれる構成であってもよい。また、車両１ａ及び車両１ｂの運転者に採点結果やアドバイスを通知する通知方法は、表示部１６ｂへの表示に限らず、音響や音声を使用する通知方法であってもよい。
【００７１】
以上、本発明の実施形態の一例を説明したが、本発明は、これに限られるものではなく、特許請求の範囲に記載した技術的思想の範囲内で、更に種々の異なる実施形態で実施されてもよいものである。また、実施形態の一例に記載した効果は、これに限定されるものではない。
【００７２】
上記実施形態の一例によれば、最適シフトモード状態選択走行診断の診断条件を、車両の走行条件を加味して緩和したり厳格化したりし、また、所定の条件が充足される場合に最適シフトモード状態選択走行診断を行わないので、最適シフトモード状態選択走行診断の診断精度を高め、延いては最適シフトモード状態選択走行の採点の精度を高めることができる。
【００７３】
また、上記実施形態の一例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記実施形態の一例で示した処理手順、制御手順、具体的名称、各種のデータやパラメータを含む情報については、特記する場合を除いて任意に変更することができる。
【００７４】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００７５】
さらに、各装置にて行なわれる各処理機能は、その全部または任意の一部が、ＣＰＵ（Central  Processing  Unit）（またはＭＰＵ（Micro  Processing  Unit）、ＭＣＵ（Micro  Controller  Unit）などのマイクロ・コンピュータ）および当該ＣＰＵ（またはＭＰＵ、ＭＣＵなどのマイクロ・コンピュータ）にて解析実行されるプログラムにて実現され、あるいは、ワイヤードロジックによるハードウェアとして実現されてもよい。
【産業上の利用可能性】
【００７６】
開示の省燃費運転診断装置、省燃費運転診断システム及び省燃費運転診断方法は、燃費に関する情報の絶対的、客観的かつ公平な良否判断を行うことを可能とし、運転者の自動車のシフトモード状態選択に関する運転操作改善意欲、省燃費運転の意識向上を図るとともに、燃費向上を図って環境保護に寄与したい場合に有用である。
【図面の簡単な説明】
【００７７】
【図１】実施形態の一例に係る車両の省燃費運転診断装置及び関連する装置の構成を示すブロック図である。
【図２】エコランプ点灯判定条件テーブルの一例を示す図である。
【図３】省燃費運転アドバイステーブルの一例を示す図である。
【図４】省燃費運転アドバイステーブルの一例を示す図である。
【図５】省燃費運転診断処理手順を示すフローチャートである。
【図６】エコランプ点灯判定処理手順を示すフローチャートである。
【図７】シフトモード状態診断処理手順を示すフローチャートである。
【図８】シフトモード状態選択診断採点結果アドバイス通知処理手順を示すフローチャートである。
【図９】最適シフトモード状態選択走行スコア及び不適シフトモード状態選択走行スコアの表示態様の一例を示す図である。
【図１０】省燃費運転アドバイスの表示態様の一例を示す図である。
【図１１】省燃費運転アドバイスの表示態様の一例を示す図である。
【図１２】変形実施形態の一例に係る省燃費運転診断装置及び関連する装置の構成を示すブロック図である。
【符号の説明】
【００７８】
１ｂ、１ａ    車両
１０ａ、１０ｂ    省燃費運転診断装置
１１    省燃費運転診断部
１１ａ    診断条件管理部
１１ａ１    走行状況判定部
１１ｂ    エコランプ点灯判定部
１１ｂ１    シフトモード状態判定部
１１ｃ    走行距離積算部
１２    省燃費運転採点部
１３    省燃費運転アドバイス生成部
１４    車載ネットワークインターフェース部
１５    出力インターフェース部
１６ａ    エコランプ
１６ｂ    表示部
１７    カーナビゲーション装置
１７ａ    地図情報ＤＢ
１８ａ    道路情報受信装置
１８ｂ    制限速度情報受信装置
１８ｃ    路面状況監視装置
２０ａ、２０ｂ    走行制御装置
２２    省燃費運転診断部
２２ａ    診断条件管理部
２２ａ１    走行状況判定部
２２ｂ    エコランプ点灯判定部
２２ｂ１    シフトモード状態判定部
２２ｃ    走行距離積算部
２４    エンジン制御装置
２５    ブレーキ制御装置
２６    車速センサ
２７    アクセル操作量センサ
２８    シフトセンサ
２９    車速パルス信号積算値格納部
１００    車載ネットワーク
【図１】
2010038959.tif 000005
【図２】
2010038959.tif 000006
【図３】
2010038959.tif 000007
【図４】
2010038959.tif 000008
【図５】
2010038959.tif 000009
【図６】
2010038959.tif 000010
【図７】
2010038959.tif 000011
【図８】
2010038959.tif 000012
【図９】
2010038959.tif 000013
【図１０】
2010038959.tif 000014
【図１１】
2010038959.tif 000015
【図１２】
2010038959.tif 000016